(57)【特許請求の範囲】
【請求項１】
光学機器を使用者の目の前に保持するための装置であって、
前記光学機器を取付けるブラケットの上部に球体状の球体部を設けた取付体と、
該取付体を、前記光学機器を目の前と目の前から上方向に退避した位置とに回動可能なように保持する上下方向の開放範囲を広くした取付体保持部を具備した保持体と、
該保持体を、前記光学機器を目の前と目の前から左右方向に移動した位置とにスライド可能に支持する案内支持体とを備え、
前記取付体保持部による前記取付体の保持を、該取付体の上部に設けた球体状の球体部と該球体部を左右方向から保持する球面座とを備えた球体継手構造で保持するとともに、該球体継手構造に、前記保持体の前方下部に設けた球面座と、該球面座による球体部の保持力を左右方向から調整する弾性部材を有する保持力調整部とを備えさせて構成し、
前記案内支持体による前記保持体の支持を、該案内支持体の上下位置に設けて前記保持体を左右方向に案内する案内部と、該案内部に係合してスライドするガイド部を前記保持体に設けるとともに、上記案内部の上側位置に前記ガイド部が係合する溝部を設けて前記ガイド部が案内部に係合した状態で左右方向にスライドするように構成し、前記保持体と案内支持体との間に、該保持体と案内支持体との接触力を保つ支持部を設け、該支持部の支持力を調整する支持力調整部を設けたことを特徴とする光学機器保持装置。
【請求項２】
前記案内支持体にヘルメット取付アタッチメントを取り付けた請求項１に記載の光学機器保持装置。 
【発明の詳細な説明】
【技術分野】
【０００１】
本発明は、ディスプレイやカメラ等の光学機器を使用者の目の前に保持するための光学機器保持装置に関するものである。
【背景技術】
【０００２】
従来から、使用者の頭部に取付けて、使用者の目の前に光学機器を配置させて目視するために光学機器保持装置が使用されている。この光学機器保持装置を用いたものとして、例えば、ヘッド・マウント・ディスプレイ（HMD：Head Mounted Display（ヘルメット・マウント・ディスプレイを含む））等がある。このヘッド・マウント・ディスプレイ等に用いられる光学機器としては、例えば、カメラ、暗視装置、暗視スコープ、フラッシュ・ライト等（以下、総称して「光学機器」という）がある。このような光学機器を保持する光学機器保持装置は、使用者の頭部や使用者が装着するヘルメット等に取付け、これらの光学機器を使用者の目の前に配置し、その光学機器に映し出された画像や映像等を使用者が目視できるようにするものである。
【０００３】
従来、光学機器保持装置をヘルメットに取付ける場合、例えば、ハーフ型のヘルメットに取り付け用の孔を開け、その孔に光学機器を保持した取付アタッチメントを直接固定するような方法や、クリップ状の締結手段等で取付アタッチメントをヘルメットの縁部に挟んで固定するような方法が採用されている。
【０００４】
なお、この種の従来技術として、使用者の頭部に装着するハウジングの側部にケースを設けるとともに、そのケースから前後方向に摺動可能なスライド部材を設け、このスライド部材に設けられた第１の球継手と、画像表示部に設けられた第２の球継手とを介して、前記スライド部材と画像表示部とを連結軸で連結したヘッドマウントディスプレイがある（例えば、特許文献１参照）。
【０００５】
また、この従来技術に用いられている球継手（ボールジョイント）に関する従来技術として、ベアリング内に設けた略球状の球頭部となった内球リングを弾性体で軸線方向に押圧し、長期使用によるベアリング内曲面の摩耗によるガタツキを防止しようとしたものがある（例えば、特許文献２参照）。さらに、樹脂製のボールジョイントに関するものもある（例えば、特許文献３参照）。
【特許文献１】特開２００６−３１９４４０号公報
【特許文献２】特開２００２−１３９０２３号公報
【特許文献３】特開２００２−２２１２１８号公報
【発明の開示】
【発明が解決しようとする課題】
【０００６】
ところで、前記光学機器保持装置に取付けられる光学機器は、使用時には目の前の適切な位置に配置でき、不使用時には目の前から退避させて視界を確保したい場合がある。
【０００７】
しかしながら、前記したように、光学機器を保持した取付アタッチメントをヘルメットに直接固定する方法の場合、装着した光学機器の角度調整範囲が狭く、適切な位置に光学機器を配置するための角度調整が難しい。また、取付アタッチメントを締結手段等でヘルメットの縁部に挟んで固定する場合、光学機器の角度や位置を維持することが難しく、光学機器を適切な位置に保つのが難しい。
【０００８】
さらに、前記特許文献１に記載された発明の場合、使用者の頭の側部で光学機器等を支持するため、光学機器の重量によっては、取付けられた光学機器の角度や位置を維持することが難しい。また、前記特許文献２に記載された発明の場合、複雑な構造の球継手となるので、特許文献１のような形態での使用は難しく、しかも、この特許文献２や特許文献３に記載されたボールジョイントは回動範囲が狭く、光学機器を使用者の目の前で位置調整する自由度が少なく使用し難い。しかも、目の前から外れた位置に退避させて視界を確保することも困難である。
【０００９】
一方、この種の光学機器保持装置は、使用者が頭部に装着して使用するため、軽量化も望まれている。また、使用する用途によっては、磁気製品への影響を抑えるために金属部品の使用を極力抑えたいという要望もある。
【００１０】
そこで、本発明は、ヘッド・マウント・ディスプレイ等の光学機器の角度や位置を調整した状態を安定して保つことができ、不使用時は光学機器を退避させて視界を確保することができる光学機器保持装置を提供することを目的とする。
【課題を解決するための手段】
【００１１】
前記目的を達成するために、本発明は、光学機器を使用者の目の前に保持するための装置であって、前記光学機器を取付けるブラケットの上部に球体状の球体部を設けた取付体と、該取付体を、前記光学機器を目の前と目の前から上方向に退避した位置とに回動可能なように保持する上下方向の開放範囲を広くした取付体保持部を具備した保持体と、該保持体を、前記光学機器を目の前と目の前から左右方向に移動した位置とにスライド可能に支持する案内支持体とを備え、前記取付体保持部による前記取付体の保持を、該取付体の上部に設けた球体状の球体部と該球体部を左右方向から保持する球面座とを備えた球体継手構造で保持するとともに、該球体継手構造に、前記保持体の前方下部に設けた球面座と、該球面座による球体部の保持力を左右方向から調整する弾性部材を有する保持力調整部とを備えさせて構成し、前記案内支持体による前記保持体の支持を、該案内支持体の上下位置に設けて前記保持体を左右方向に案内する案内部と、該案内部に係合してスライドするガイド部を前記保持体に設けるとともに、上記案内部の上側位置に前記ガイド部が係合する溝部を設けて前記ガイド部が案内部に係合した状態で左右方向にスライドするように構成し、前記保持体と案内支持体との間に、該保持体と案内支持体との接触力を保つ支持部を設け、該支持部の支持力を調整する支持力調整部を設けている。これにより、左右方向から保持力を調整できる球体継手構造によって光学機器を保持して、光学機器の使用時には、取付体に取付けた光学機器を目の前の好ましい位置に安定して保持することができ、不使用時には、目の前から上方向に退避させた位置に回動させることで容易に大きな位置調整を行うことができる。しかも、目の前から左右方向にスライドさせることができるので、光学機器の使用時には目の前で角度や位置を調整して安定した保持ができ、不使用時には目の前から退避させて視界を確保することが安定してできる。
【００１２】
また、保持力調整部で球面座の保持力を調整して光学機器の安定した位置保持と位置調整とができる。 
【００１３】
さらに、保持体が左右方向にスライドするときの案内支持体との接触力を調整することができ、保持体の安定した左右方向のスライドが可能となる。しかも、ガイド部を案内部に係合させて係合状態を安定させた状態で、保持体を安定して左右方向にスライドさせることができる。その上、案内部の溝部にガイド部を係合させた堅牢な状態で、保持体を案内支持体の案内部に沿って安定して左右方向にスライドさせることができる。 
【００１７】
その上、前記案内支持体にヘルメット取付アタッチメントを取り付ければ、ハーフ型ヘルメット等に光学機器保持装置を容易に装着することができるとともに、作業時における光学機器の安定した位置保持と、光学機器を退避させた視界確保とが容易に可能となる。
【発明の効果】
【００１８】
本発明は、以上説明したような手段により、ヘッドマウントディスプレイ等、光学機器を目の前で角度や位置を調整して安定した状態で保持することができるとともに、光学機器の不要時には目の前から外れた位置に退避させて視界を確保できる光学機器保持装置を提供することが可能となる。
【発明を実施するための最良の形態】
【００１９】
以下、本発明の一実施の形態を図面に基づいて説明する。図１は、本発明の一実施の形態に係る光学機器保持装置を示す斜視図であり、図２は、同光学機器保持装置における取付体の球体部を示す断面図、図３は、図２に示す取付体の球体部を保持する構成を示す分解斜視図である。以下の実施の形態では、ハーフ型ヘルメットに装着する光学機器保持装置１を例に説明する。なお、この明細書及び特許請求の範囲の書類中における「前」、「後」、「上」、「下」、「右」、および「左」などの方向を示す用語は、使用者が本発明に係る光学機器保持装置１を装着した通常の状態における通常の姿勢での相対的な方向を示している。
【００２０】
図１に示すように、光学機器保持装置１は、光学機器Ｏを取付ける取付体２と、この取付体２を上下方向に回動可能に保持する保持体３と、この保持体３を左右方向にスライド可能に支持する案内支持体４とを備えている。取付体２は、下部に光学機器Ｏを取付けるためのブラケット５が設けられ、上部に球体部６が設けられている。この球体部６は球体状に形成され、この球体部６が保持体３の前方下部に設けられた取付体保持部８の球面座９に保持されている。この取付体２の球体部６と保持体３の球面座９とによって光学機器Ｏを保持する構成が、球体継手構造１９である。この実施の形態では、ブラケット５にボルト７で光学機器Ｏが取付けられている。
【００２１】
また、前記保持体３は、案内支持体４に設けられた案内部２１に沿って左右方向にスライド可能となっている。この案内支持体４は、前記保持体３を使用者の目の前と、目の前から左右方向にスライドさせることができるような案内部２１を設けることができる横長に形成されている。例えば、人間工学による両目の間隔である６５ｍｍを十分にカバーした１１０ｍｍの範囲において任意の位置に調整できるようにすればよい。この案内支持体４には、後述するヘルメット取付アタッチメント４２に関する構成が設けられている。
【００２２】
図２，３に示すように、前記取付体２の球体部６は球体状に形成されており、前記保持体３の球面座９は球体部６と合った球面に形成されている。この球面座９は、保持体３に一体的に形成された固定側座面１０と、この固定側座面１０と対向する可動側座面１１とによって構成されている。この実施の形態では、球面座９を、左右方向から球体部６を挟持するような円錐台形状としており、前記取付体保持部８の上下方向の開放範囲を広くすることにより、球面座９に対する球体部６の可動範囲を広げている。この実施の形態では、取付体保持部８の開放範囲を、球体部６の保持位置に対して下部後方から上部前方まで形成し、この取付体保持部８で球体部６を左右方向から球面座９で保持しているので、光学機器Ｏの可動範囲が上下方向に大きく広がっている。
【００２３】
また、球体部６と球面座９とに異なる樹脂を使用することにより、摺動性、耐久性及び保持力を確保している。この樹脂としては、潤滑性があり、異物が入った場合でも可動可能なものがよい。しかも、このように、光学機器Ｏを姿勢変更可能に保持する構成を樹脂製とすることにより、軽量化と磁気製品への影響低下を図っている。その上、適切な大きさの球体部６を設けた球体継手構造（ボールジョイント構造）とすることにより、堅牢性と整備性の向上、コストダウン及び磁気製品への影響低減を図っている。
【００２４】
図の右側に位置する可動側座面１１は、保持体３に設けられた貫通孔１２に挿入された円筒状の球面座部材１３の球体部６側に形成されている。この貫通孔１２の反保持部側には雌ネジ１４が形成されており、雄ネジ１５が外周に形成された調整部材１６が貫通孔１２の反保持部側から螺合されている。この調整部材１６と球面座部材１３との間には皿バネ１７が挿入されており、調整部材１６をねじ込むことによって皿バネ１７のバネ力で球面座部材１３が球体部６に押圧されている。この皿バネ１７で球面座部材１３を球体部６に押圧する部分が、球体部６の保持力を調整する保持力調整部１８である。球面座部材１３で球体部６を押圧する力は、前記皿バネ１７の枚数と調整部材１６のねじ込み量とによって調整することができる。この実施の形態では、皿バネ１７を用いて支持力を調整することにより、省スペースで大きな力が得られるようにしている。この皿バネ１７は、他の弾性部材であってもよい。
【００２５】
この実施の形態では、このような保持力調整部１８で適切な径の球体部６を保持する構成とすることにより、例えば、約１５０Ｎ以上の保持力を確保することができるようにして、安定した光学機器Ｏの保持ができるようにしている。なお、球体部６の摩耗による保持力低下等を考慮し、保持力調整部１８による保持力は、約１．５倍の２３０Ｎまで調整できるようになっている。
【００２６】
このように、光学機器Ｏを取付ける取付体２の球体部６を、支持力を調整できる球面座９で保持することにより、光学機器Ｏの大きさや形状等に応じて保持力を調整した保持が容易にできるようにしている。しかも、光学機器Ｏを上下方向に回動させたい場合には、保持力以上の力で光学機器Ｏを回動させれば球体部６が球面座９に沿って回動するので、光学機器Ｏを容易に回動させて視界を確保することができる。その上、球体部６を球面座９に沿って３６０度の範囲で任意の位置に調整することもできるので、後述する図７に示すように光学機器Ｏを上向きに回動させ、さらに９０度回転させて横向きにするようなことも容易にできる。なお、この実施の形態の球体継手構造は、取付体２に球体部６を設けて保持部８の球面座９で保持しているが、保持部８側に球体部６を設け、取付体２側に球面座９を設けて保持するようにしてもよい。
【００２７】
図４は、図１に示す光学機器保持装置の中央縦断面図であり、図５は、図４の案内部とガイド部とを示す拡大断面図、図６は、図４に示す光学機器保持装置の案内部とガイド部とを示す分解斜視図である。
【００２８】
図４，５に示すように、案内支持体４の前部には、前記保持体３が左右方向にスライドする案内部２１が保持体３側に突出するように設けられている。一方、保持体３の後部には、前記案内部２１に沿って左右方向にスライドするガイド部２２が形成されている。前記案内部２１は左右方向に延びる凸状に形成されており、ガイド部２２は案内部２１と上下部で接するように中央部の幅方向が窪んだ凹状に形成されている。この案内部２１と前記ガイド部２２とは、上下位置が円弧状に形成されており、案内部２１とガイド部２２との円弧の一部が接するように形成されている。このように、前記保持体３と案内支持体４との係合を、案内部２１とガイド部２２との上下位置のみにして、これら上下の案内部２１とガイド部２２との間の保持体３と案内支持体４とは空間２３を保った状態となるようにしている。
【００２９】
図５に示すように、この案内部２１とガイド部２２との係合は、上側に位置する案内部２１に左右方向へ延びる案内溝２４（図示する僅かな窪み）が形成され、この案内溝２４に上側のガイド部２２が係合するようにしている。すなわち、案内支持体４に凸状の案内部２１を設けることにより強度・剛性を高め、この案内支持体４と保持体３との係合を、上側が僅かに嵌め合い構造となるようにすることにより、保持体３が左右方向にスライドする時のガタツキを抑え、光学機器Ｏ（図１）を安定して左右方向にスライドさせることができるようにしている。
【００３０】
さらに、図４，５に示すように、この保持体３と案内支持体４との間には、保持体３を適切な力で案内支持体４に支持する支持部２５が設けられている。この支持部２５には、案内支持体４の案内部２１に接する支持部材２６と、この支持部材２６を案内支持体４の裏面に押圧する加圧部材２７と、この加圧部材２７の押圧力を調整する支持ボルト２８と、この支持ボルト２８の先端側を保持体３側で保持する固定ブロック２９とが設けられている。また、案内部２１の上下方向中央位置には、このように保持体３を案内支持体４に支持している支持ボルト２８を、案内支持体４の左右方向に移動可能とする開口部３４が設けられている。
【００３１】
この支持部２５は、前記支持ボルト２８を案内支持体４側から保持体３に挿入し、先端に設けられた雄ネジ部３０を固定ブロック２９に設けられた雌ネジ部３１に螺合することにより、支持ボルト２８の頭部３２が加圧部材２７を押圧し、この加圧部材２７が支持部材２６を案内部２１に押圧して支持するようになっている。これにより、保持体３のガイド部２２と、案内支持体４の案内部２１とが好ましい力で接している。この支持ボルト２８で加圧部材２７を介して支持部材２６を案内部２１に押圧する部分が、支持部２５の支持力を調整する支持力調整部３７である。
【００３２】
この実施の形態では、加圧部材２７に複数枚の皿バネ材を重ね合わせて用いることにより、適切な支持力が得られるようにしている。この場合、皿バネ材２７と支持ボルト２８の頭部３２との間にシムリング３６（例えば、約０．１〜０．３ｍｍ程度）を挿入することにより、保持体３を案内支持体４に支持する力を容易に調整することができ、簡単な構成で適切な力に調整することができる。この支持力としては、例えば、約１５Ｎの保持力に固定設定され、将来的に保持体３が磨耗して保持力が低下した場合に前記シムリング３６による支持力調整を行えばよい。なお、光学機器Ｏの質量等によて支持力を上げる必要が生じた場合には、前記加圧部材２７と支持ボルト２８の頭部３２との間に前記シムリング３６を挿入することにより約２０Ｎまで支持力調整が可能となっている。加圧部材２７としては、皿バネ以外の構成であってもよく、案内支持体４による保持体３の支持力を適切な力（例えば、約１５Ｎ〜約２０Ｎ程度）に調整できるものであればよい。
【００３３】
また、この実施の形態では、支持ボルト２８の保持体３に近接した位置に、この支持ボルト２８の締付量を制限するための鍔部３３が設けられている。この鍔部３３は、支持ボルト２８を締付け過ぎないようにするものであり、通常の使用状態では保持体３と隙間ｔが空き、この支持ボルト２８を締め過ぎたとしても隙間ｔ分を締めると保持体３に当接して、それ以上の締めつけができないようにしている。これにより、案内支持体４の案内部２１の裏面側には支持部材２６が接し、案内部２１の表面側には上下のガイド部２２のみが接するようにして、使用者が保持体３を案内支持体４の左右方向にスライドさせるときの摩擦抵抗を適切にしている。
【００３４】
したがって、前記した案内支持体４に設けられた案内部２１と保持体３の上下に設けられたガイド部２２とによって、保持体３の上下方向変位を防止して安定した左右方向のスライドを可能にするとともに、上下の案内部２１の間に空間２３を保つことによって、保持体３、つまり光学機器Ｏを左右方向に安定してスライドさせることができるようにしている。なお、案内支持体４の上部には、後述するヘルメット取付アタッチメント４２を取付けるための取付孔３５が設けられている。
【００３５】
このように、光学機器Ｏの左右方向の位置調整機構に、加圧部材２７（バネ機構）による支持と、案内部２１とガイド部２２との嵌め合い構造によるスライド方式を採用することにより、保持体３にロック機構が無い単純構造として強度・剛性を向上させるとともに、調整動作の迅速化、整備性の向上及びコストダウンを実現している。
【００３６】
図７は、図１に示す光学機器保持装置に取り付けた光学機器の可動範囲を示す図面であり、(a) は正面図、(b) は側面図である。図示するように、保持体３に取付体２と一体的に保持された光学機器Ｏは、取付体２の球体部６が前記したような保持体３の球面座９に保持力で保持されているので、その保持力以上の力で光学機器Ｏを上向きに回動させれば、光学機器Ｏを保持体３の前方上部に位置させることができる。この光学機器Ｏを回動させる角度αとしては、例えば、約１５０度程度とすることにより、光学機器Ｏが目の前に位置する状態と、上向きに回動させて目の前から退避させて視界を確保する状態とに変化させることができる。
【００３７】
このように光学機器Ｏを上下方向に回動させる場合でも、前記したように球面座９で球体部６を保持する力を大きくすることができるので、上方に回動させた光学機器Ｏを安定して保持することができる。しかも、光学機器Ｏに信号を送受信するための配線があったとしても、この配線が横向きになるように光学機器Ｏを上向きに回動させて退避させた状態で、さらに光学機器Ｏを９０度回動させて配線を横向きにした状態で保持することもできる。
【００３８】
図８は、図１に示す光学機器保持装置の正面図であり、図９は、同光学機器保持装置の平面図である。図８，９に示すように、この実施の形態の光学機器保持装置１は、取付体２に取付けられた光学機器Ｏを、保持体３とともに案内支持体４の案内部２１に沿って左右方向にスライドさせることができる。この左右方向のスライドは、支持力以上の力を加えることにより可能である。スライド範囲としては、例えば、左右の目の前に光学機器Ｏを位置させることができる範囲や、目の前から光学機器Ｏを左右方向に退避させることができる範囲等に設定される。
【００３９】
図８の正面図では使用者の左目の前に位置する実線の状態から、右目の前に位置する二点鎖線の状態にスライドさせた状態を示している。このスライド時には、前記したようにガイド部２２が案内部２１の案内溝２４に係合した状態で、加圧部材２７によって適切な支持力に調整され、しかも、保持体３の上下に設けられたガイド部２２のみが案内支持体４の案内部２１に係合した状態でスライドさせるので、作業者が保持体３を持って安定してスライドさせることができる。しかも、このスライド操作は、保持体３を片手で持って行うことも可能であり、光学機器Ｏを図７に示すように上下動させる操作を片手で行えるように球体部６を保持する力を調整することにより、光学機器Ｏの画像表示部を目の前に位置調整する操作を片手で容易に行うことができる。これにより、一方の手で作業を行いながら他方の手で光学機器Ｏの位置調整を行うことができる。
【００４０】
図１０は、図１に示す光学機器保持装置をハーフ型ヘルメットに装着した状態を示す側面図である。図示するように、この光学機器保持装置１には、ハーフ型ヘルメット４１（二点鎖線で示す）に装着するためのヘルメット取付アタッチメント４２が設けられている。このヘルメット取付アタッチメント４２は、案内支持体４の下端から下方へ突出してヘルメット４１の前縁部に係合する前側フック部４３と、案内支持体４の上部に形成された取付孔３５に取付けられた装着ベルト４６とを備えている。前側フック部４３は、図４に示すように、ボルト４４によって案内支持体４の下部に固定されており、樹脂製スペーサ４５を挟んで取付けることにより磁気対策を図っている。装着ベルト４６は、前端が取付孔３５（図４）に取付けられ、ヘルメット４１の上面に沿って後方に延びた後端に後側フック部４７が備えられている。
【００４１】
このヘルメット取付アタッチメント４２によれば、前側フック部４３をヘルメット４１の前縁部に止め、後側フック部４７をヘルメット４１の後縁部に止めることにより、光学機器保持装置１をヘルメット４１に装着することができる。このようなヘルメット取付アタッチメント４２によれば、各種形状のハーフ型ヘルメット４１へに光学機器保持装置１を装着することが容易に可能となる。しかも、ヘルメット４１を改造することなく光学機器保持装置１をヘルメット４１に装着することができ、迅速で容易な取付けができる。
【００４２】
また、光学機器保持装置１をヘルメット４１に装着・固定した状態においても、取付体保持部８による取付体２の上方向の回動領域を約１５０度まで広げているので、光学機器Oを回転移動させることにより未使用時の視界確保が可能となる。
【００４３】
その上、上方向に回動させた光学機器Ｏは、この回動させた状態において取付体保持部８の球面座９により、水平軸を中心に光学機器Ｏを上方に回動させることも可能であるので、上方向に回動させた光学機器Ｏをさらに任意の方向に向けて収納することも可能である。
【００４４】
その上、前記したように光学機器Ｏの画像表示部位置調整を片手操作で容易に行えるように各保持力を調整することにより、光学機器保持装置１をヘルメット４１に装着する構成を、装着ベルト４６を備えた簡易的なヘルメット取付アタッチメント４２としても安定した保持状態を保つことができる。
【００４５】
このように、光学機器Ｏを取付けている取付体２をヘルメット４１の前方上部に回動させ、その位置で任意の向きに回動させることにより、光学機器Ｏがヘルメット４１の前方に突出する量を少なくできる。また、光学機器Ｏに接続されたケーブル（図示略）の曲がりも防止できる。
【００４６】
図１１は、図１０に示すようにハーフ型ヘルメットに装着した光学機器保持装置の可動状態を示す図面であり、(a) は正面図、(b) は側面図である。図示する状態は、使用者の左目の前に光学機器Ｏを位置させて画面を目視している状態を示しており、この状態の光学機器Ｏは取付体２と一体的に球体部６によって保持された状態であるので、この球体部６を球面座９の可動範囲で目Ｅに近づけたり離したりすることができる。
【００４７】
また、球体部６は、球面座９に保持された状態で前後左右方向の傾動も可能であり、目Ｅに対する光学機器Ｏの前後左右方向角度を調整することができる。このように光学機器Ｏの位置を調整する角度βの範囲としては、例えば、中立状態から前後左右に約４０度程度が可能であり、作業者に応じた位置に各種光学機器Ｏの位置を調整することが容易にできる。
【００４８】
光学機器Ｏを前後方向に回動させて目Ｅからの距離を調整する作業は、光学機器画面の設定焦点距離を基準としている。この実施の形態では、装着時の上下方向の移動は、ヘルメット端部からの距離ｈを約２０ｍｍとし、この距離を基準にして、基本的な下向き位置から球体部６の左右方向回動可能範囲である約４０度以内で任意に微調整できるようにしている。また、前後方向も球体部６が球面座９に沿って回動することにより微調整することができる。
【００４９】
さらに、この実施の形態では、前記したように、使用者の左目の前と右目の前との間で左右方向に光学機器Ｏをスライドさせることができるので、ハーフ型ヘルメット４１に装着した状態で左目または右目で光学機器Ｏの画面を安定して目視することができる。
【００５０】
このような光学機器保持装置１によれば、案内支持体４をヘルメット４１に装着・固定した状態を安定して保ち、保持体３を左右方向にスライドさせることによる光学機器Ｏの左右方向の位置調整、及び球面座９による光学機器Ｏの水平回転方向における位置調整によって、使用者の個体差に応じた位置調整が容易にできる光学機器保持装置１を提供することができる。また、光学機器保持装置１の軽量化により、使用者への負担を軽減できるとともに、金属の使用量を最小限にとどめたことにより、磁気製品へ与える影響を低減できる。
【００５１】
さらに、堅牢性があり、ガタツキが少ないため、ヘルメットマウント製品装着時の安定性を確保できるとともに運用時の破損低減が可能となる。その上、構造及び構成の単純化が実現できたため、整備性が良く、安価なものとなる。また、ヘルメットマウント製品の取付部品の形状を変更することにより、各種ヘルメットマウント製品への対応が可能である。さらに、球体継手構造によって光学機器Ｏの位置固定作業が不要であるため、光学機器Ｏの位置調整が片手で迅速に実施できる。
【００５２】
なお、前記実施の形態では、ハーフ型ヘルメット４１に装着する光学機器保持装置１を例に説明したが、前記取付アタッチメント４２を変更することにより、使用者の頭部に直接装着したり、他の取付アタッチメントによって他の構成に装着することも可能であり、使用形態は前記実施の形態のハーフ型ヘルメット４１に装着する光学機器保持装置１に限定されるものではない。
【００５３】
また、前記光学機器Ｏも限定されるものではなく、前記例示した光学機器以外に、例えば、工場において作業手順等を画像で示すディスプレイ、パーソナルコンピュータのモニタ画面等、種々の光学機器Ｏを用いることが可能である。
【００５４】
さらに、前述した実施の形態は一例を示しており、本発明の要旨を損なわない範囲での種々の変更は可能であり、本発明は前述した実施の形態に限定されるものではない。
【産業上の利用可能性】
【００５５】
本発明に係る光学機器保持装置は、ヘッドマウントディスプレイ等の光学機器を、使用時には目の前で安定して位置調整して保持し、不使用時には目の前から退避させて視界を確保できるようにしたい用途に好適である。
【図面の簡単な説明】
【００５６】
【図１】本発明の一実施の形態に係る光学機器保持装置を示す斜視図である。
【図２】図１に示す光学機器保持装置における取付体の球体部を示す断面図である。
【図３】図２に示す取付体の球体部を保持する構成を示す分解斜視図である。
【図４】図１に示す光学機器保持装置の中央縦断面図である。
【図５】図４の案内部とガイド部とを示す拡大断面図である。
【図６】図４に示す光学機器保持装置の案内部とガイド部とを示す分解斜視図である。
【図７】図１に示す光学機器保持装置に取り付けた光学機器の可動範囲を示す図面であり、(a) は正面図、(b) は側面図である。
【図８】図１に示す光学機器保持装置の正面図である。
【図９】図１に示す光学機器保持装置の平面図である。
【図１０】図１に示す光学機器保持装置をハーフ型ヘルメットに装着した状態を示す側面図である。
【図１１】図１０に示すようにハーフ型ヘルメットに装着した光学機器保持装置の可動状態を示す図面であり、(a) は正面図、(b) は側面図である。
【符号の説明】
【００５７】
１…光学機器保持装置
２…取付体
３…保持体
４…案内支持体
６…球体部
８…取付体保持部
９…球面座
１０…固定側座面
１１…可動側座面
１３…球面座部材
１６…調整部材
１７…皿バネ
１８…保持力調整部
１９…球体継手構造
２１…案内部
２２…ガイド部
２３…空間
２４…案内溝
２５…支持部
２６…支持部材
２７…加圧部材
２８…支持ボルト
２９…固定ブロック
３３…鍔部
３４…開口部
３７…支持力調整部
４１…ハーフ型ヘルメット
４２…ヘルメット取付アタッチメント
４３…前側フック部
４６…装着ベルト
４７…後側フック部
Ｏ…光学機器
Ｅ…目
【図１】
0004673897.tif 000002
【図２】
0004673897.tif 000003
【図３】
0004673897.tif 000004
【図４】
0004673897.tif 000005
【図５】
0004673897.tif 000006
【図６】
0004673897.tif 000007
【図７】
0004673897.tif 000008
【図８】
0004673897.tif 000009
【図９】
0004673897.tif 000010
【図１０】
0004673897.tif 000011
【図１１】
0004673897.tif 000012